【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
記録材が積載される積載部と、
前記積載部に積載された記録材のサイズを設定する設定手段と、
前記積載部に積載された記録材を搬送路に給紙する給紙手段と、
前記給紙手段を駆動する駆動手段と、
前記駆動手段を制御する制御手段と、
を備え、
前記制御手段は、前記給紙手段が記録材を給紙できない状態から給紙できる状態になった後の最初の１枚目の記録材を給紙する際の前記駆動手段を駆動する時間を、前記設定手段により設定された記録材のサイズにかかわらず、所定のサイズの記録材を給紙する際の前記駆動手段を駆動する時間に決定することを特徴とする画像形成装置。
【請求項２】
記録材の搬送方向において、前記給紙手段よりも下流側に設けられ、搬送されてきた記録材を検知する検知手段を備え、
前記制御手段は、前記設定手段により設定された記録材のサイズと、前記検知手段の検知結果に基づき検出された記録材のサイズとが一致している場合、前記１枚目の記録材に続く２枚目以降の記録材を給紙する際の前記駆動手段を駆動する時間を、前記設定手段により設定された記録材のサイズに基づき決定することを特徴とする請求項１に記載の画像形成装置。
【請求項３】
記録材が積載される積載部と、
前記積載部に積載された記録材のサイズを設定する設定手段と、
前記積載部に積載された記録材を搬送路に給紙する給紙手段と、
前記給紙手段を制御する制御手段と、
を備え、
前記制御手段は、前記給紙手段が記録材を給紙できない状態から給紙できる状態になった後の最初の１枚目の記録材を前記給紙手段により搬送する距離を、前記設定手段により設定された記録材のサイズにかかわらず、所定のサイズの記録材を前記給紙手段により搬送する距離に決定することを特徴とする画像形成装置。
【請求項４】
記録材の搬送方向において、前記給紙手段よりも下流側に設けられ、搬送されてきた記録材を検知する検知手段を備え、
前記制御手段は、前記設定手段により設定された記録材のサイズと、前記検知手段の検知結果に基づき検出された記録材のサイズとが一致している場合、前記１枚目の記録材に続く２枚目以降の記録材を前記給紙手段により搬送する距離を、前記設定手段により設定された記録材のサイズに基づき決定することを特徴とする請求項３に記載の画像形成装置。
【請求項５】
前記給紙手段を駆動する駆動手段を備えることを特徴とする請求項４に記載の画像形成装置。
【請求項６】
前記所定のサイズは、前記画像形成装置で使用が許可されている記録材のサイズの中で、最も小さい記録材のサイズであることを特徴とする請求項１から請求項５のいずれか１項に記載の画像形成装置。
【請求項７】
前記積載部は、前記画像形成装置に着脱可能なカセットであることを特徴とする請求項１から請求項６のいずれか１項に記載の画像形成装置。
【請求項８】
前記給紙手段が記録材を給紙できない状態から給紙できる状態になる条件とは、前記カセットが前記画像形成装置から引き出され、再びセットされたことであることを特徴とする請求項７に記載の画像形成装置。
【請求項９】
前記制御手段は、前記設定手段により設定された記録材のサイズと、前記検知手段の検知結果に基づき検出された記録材のサイズとが一致しない場合、一致しないことが検知された後に前記積載部から給紙される１枚目の記録材を給紙する際の前記駆動手段を駆動する時間を、前記設定手段により設定された記録材のサイズにかかわらず、前記所定のサイズの記録材を給紙する際の前記駆動手段を駆動する時間に決定することを特徴とする請求項２に記載の画像形成装置。
【請求項１０】
前記制御手段は、前記設定手段により設定された記録材のサイズと、前記検知手段の検知結果に基づき検出された記録材のサイズとが一致しない場合、一致しないことが検知された後に前記積載部から給紙される１枚目の記録材を給紙する際の前記駆動手段により搬送する距離を、前記設定手段により設定された記録材のサイズにかかわらず、前記所定のサイズの記録材を給紙する際の前記駆動手段により搬送する距離に決定することを特徴とする請求項５に記載の画像形成装置。
【請求項１１】
前記画像形成装置に関する情報を表示させる表示部を備え、
前記制御手段は、前記設定手段により設定された記録材のサイズと、前記検知手段の検知結果に基づき検出された記録材のサイズが一致しなかった場合には、記録材のサイズが一致しなかったことを前記表示部に表示させることを特徴とする請求項９又は請求項１０に記載の画像形成装置。
【請求項１２】
前記積載部は、手差し給紙を行うためのトレイであることを特徴とする請求項１から請求項６のいずれか１項に記載の画像形成装置。
【請求項１３】
前記積載部に積載された記録材のサイズを設定するための情報に基づいて、前記積載部に積載された記録材のサイズの候補を表示させる表示部と、
前記表示部に表示された前記候補の中から記録材のサイズを決定するために操作される操作部と、
を備え、
前記設定手段は、前記操作部が操作されて前記表示部に表示された前記候補の中から記録材のサイズが決定されたことに応じて、前記積載部に積載された記録材のサイズを設定することを特徴とする請求項１２に記載の画像形成装置。
【請求項１４】
前記給紙手段が記録材を給紙できない状態から給紙できる状態になる条件とは、前記トレイに記録材がセットされたことであることを特徴とする請求項１３に記載の画像形成装置。
【請求項１５】
記録材の搬送方向において、前記検知手段よりも下流側に設けられ、前記給紙手段とともに記録材を搬送する搬送手段と、
前記給紙手段と前記駆動手段との間に設けられるワンウェイクラッチと、
を有し、
前記制御手段は、前記給紙手段から前記記録材を引き抜くように、前記駆動手段を停止させた後も前記搬送手段により記録材を搬送させることを特徴とする請求項２又は請求項５に記載の画像形成装置。
【請求項１６】
前記給紙手段は、記録材に接触して記録材を給紙する給紙ピックアップローラを有し、
複数の記録材を連続して給送する場合、１枚目の記録材の給紙が開始されてから前記複数の記録材の最後の記録材が給送されるまで、前記給紙ピックアップローラは記録材に接触していることを特徴とする請求項１から請求項１５のいずれか１項に記載の画像形成装置。
【手続補正２】
【補正対象書類名】明細書
【補正対象項目名】００１０
【補正方法】変更
【補正の内容】
【００１０】
（１）記録材が積載される積載部と、前記積載部に積載された記録材のサイズを設定する設定手段と、前記積載部に積載された記録材を搬送路に給紙する給紙手段と、前記給紙手段を駆動する駆動手段と、前記駆動手段を制御する制御手段と、を備え、前記制御手段は、前記給紙手段が記録材を給紙できない状態から給紙できる状態になった後の最初の１枚目の記録材を給紙する際の前記駆動手段を駆動する時間を、前記設定手段により設定された記録材のサイズにかかわらず、所定のサイズの記録材を給紙する際の前記駆動手段を駆動する時間に決定することを特徴とする画像形成装置。
（２）記録材が積載される積載部と、前記積載部に積載された記録材のサイズを設定する設定手段と、前記積載部に積載された記録材を搬送路に給紙する給紙手段と、前記給紙手段を制御する制御手段と、を備え、前記制御手段は、前記給紙手段が記録材を給紙できない状態から給紙できる状態になった後の最初の１枚目の記録材を前記給紙手段により搬送する距離を、前記設定手段により設定された記録材のサイズにかかわらず、所定のサイズの記録材を前記給紙手段により搬送する距離に決定することを特徴とする画像形成装置。